(57)【要約】【課題】伝送装置における冗長切替処理に要する時間の増大を抑制する。【解決手段】  アクセス網と接続されたクライアント側ＬＩＵ３０は、Ｅ−リング側ＬＩＵ１０で受信されたフレームに基づいてリング網のＥａｓｔ経路の正常性を判定し、Ｗ−リング側ＬＩＵ２０で受信されたフレームに基づいてリング網のＷｅｓｔ経路の正常性を判定する。そして、その判定結果に基づいて、Ｅａｓｔ経路とＷｅｓｔ経路のどちらが選択系であるかを示す選択系情報をＳＷＦ５０へ通知する。ＳＷＦ５０は、クライアント側ＬＩＵ３０から通知された選択系情報に基づいて、リング網またはアクセス網から受信されたフレームの転送態様を決定する。【選択図】図９
2015126506.tif 000002
【特許請求の範囲】
【請求項１】
第１の網の第１経路と接続された第１のインタフェースユニットと、
前記第１の網の第２経路と接続された第２のインタフェースユニットと、
前記第１の網とは異なる第２の網と接続された第３のインタフェースユニットと、
あるインタフェースユニットから送出されたフレームを他のインタフェースユニットへ転送するスイッチ部と、
を備え、
前記第３のインタフェースユニットは、
前記第１のインタフェースユニットで受信されたフレームに基づいて前記第１経路の正常性を判定し、前記第２のインタフェースユニットで受信されたフレームに基づいて前記第２経路の正常性を判定する監視部と、
前記監視部による判定結果に基づいて、前記第１経路と前記第２経路のどちらが選択系であるかを示す選択系情報を前記スイッチ部へ通知する送信部と、を含み、
前記スイッチ部は、前記第３のインタフェースユニットから通知された選択系情報に基づいて、前記第１または第２の網から受信されたフレームの転送態様を決定することを特徴とする伝送装置。
【請求項２】
前記第３のインタフェースユニットの送信部は、前記第１の網へ伝送すべきフレームに前記選択系情報を付加して、当該フレームを前記スイッチ部へ送出し、
前記スイッチ部は、前記第３のインタフェースユニットから送出されたフレームを前記第１と第２の少なくとも一方のインタフェースユニットへ転送することに加え、そのフレームに付加された選択系情報に基づいて、前記第１または第２の網から受信されたフレームの転送態様を決定することを特徴とする請求項１に記載の伝送装置。
【請求項３】
前記第１のインタフェースユニットは、前記第１の網からＯＡＭフレームを受信して、前記第３のインタフェースユニットへ転送し、
前記第２のインタフェースユニットは、前記第１の網からＯＡＭフレームを受信して、前記第３のインタフェースユニットへ転送し、
前記第３のインタフェースユニットの監視部は、前記第１のインタフェースユニットから転送されたＯＡＭフレームを終端して、前記第１経路の正常性を判定し、前記第２のインタフェースユニットから転送されたＯＡＭフレームを終端して、前記第２経路の正常性を判定することを特徴とする請求項１に記載の伝送装置。
【請求項４】
前記第３のインタフェースユニットの送信部は、前記第２の網から前記第１の網へ伝送すべき主信号のフレームを前記スイッチ部へ送出し、
前記スイッチ部は、前記第１のインタフェースユニットと前記第２のインタフェースユニットのうち、前記第３のインタフェースユニットから通知された選択系経路と接続されたインタフェースユニットへ前記主信号のフレームを転送することを特徴とする請求項１から３のいずれかに記載の伝送装置。
【請求項５】
前記第１のインタフェースユニットは、前記第１の網から前記第２の網へ伝送すべき主信号フレームを受信して、前記スイッチ部へ送出し、
前記第２のインタフェースユニットは、前記第１の網から前記第２の網へ伝送すべき主信号フレームを受信して、前記スイッチ部へ送出し、
前記スイッチ部は、前記第１のインタフェースユニットと前記第２のインタフェースユニットのうち、前記第３のインタフェースユニットから通知された選択系経路と接続されたインタフェースユニットで受信された主信号のフレームを前記第３のインタフェースユニットへ転送することを特徴とする請求項１から３のいずれかに記載の伝送装置。
【請求項６】
伝送装置を構成するインタフェースユニットであって、
前記伝送装置は第１の網と第２の網の間でフレームを伝送するものであり、
本インタフェースユニットは前記第２の網と接続されるものであり、
前記第１の網の第１経路と接続された他のインタフェースユニットで受信されたフレームに基づいて前記第１経路の正常性を判定し、前記第１の網の第２経路と接続された他のインタフェースユニットで受信されたフレームに基づいて前記第２経路の正常性を判定する監視部と、
前記監視部による判定結果に基づいて、前記第１経路と前記第２経路のどちらが選択系であるかを示す選択系情報をスイッチ部へ通知することにより、前記スイッチ部に、前記第１または第２の網から受信されたフレームの転送態様を前記選択系情報にしたがって決定させる送信部と、
を備えることを特徴とするインタフェースユニット。
【発明の詳細な説明】
【技術分野】
【０００１】
本発明は、データ通信技術に関し、特に伝送装置およびインタフェースユニットに関する。
【背景技術】
【０００２】
ＮＧＮ（Next Generation Network）による再構築を経て、通信網のパケットネットワークへの統合が進んでいる。通信事業者のネットワークがパケット化されるに伴い、元々コンピュータネットワークとして誕生したイーサネット（「イーサネット」は登録商標）をベースとしたパケットネットワークに対しても高い信頼性が求められてきている。
【０００３】
こうした課題に対し代表的な標準として非特許文献１〜３が挙げられる。非特許文献１は、ＯＡＭ（Operation Administration and Maintenance）機能を規定している。非特許文献２、３は、非特許文献１が規定するＯＡＭ機能の付与を基礎として、冗長切替方式を規定している。
【先行技術文献】
【非特許文献】
【０００４】
【非特許文献１】ＩＴＵ−Ｔ  Ｙ．１７３１  ＯＡＭ  ｆｕｎｃｔｉｏｎｓ  ａｎｄ  ｍｅｃｈａｎｉｓｍｓ  ｆｏｒ  Ｅｔｈｅｒｎｅｔ  ｂａｓｅｄ  ｎｅｔｗｏｒｋｓ（「Ｅｔｈｅｒｎｅｔ」は登録商標）
【非特許文献２】ＩＴＵ−Ｔ  Ｇ．８０３１／Ｙ．１３４２  Ｅｔｈｅｒｎｅｔ  ｌｉｎｅａｒ  ｐｒｏｔｅｃｔｉｏｎ  ｓｗｉｔｃｈｉｎｇ
【非特許文献３】ＩＴＵ−Ｔ  Ｇ．８０３２／Ｙ．１３４４  Ｅｔｈｅｒｎｅｔ  ｒｉｎｇ  ｐｒｏｔｅｃｔｉｏｎ  ｓｗｉｔｃｈｉｎｇ
【発明の概要】
【発明が解決しようとする課題】
【０００５】
スマートデバイスの爆発的普及等の社会的背景から、クラウドサービスやコンテンツ配信サービス等のネットワークサービスのリッチ化も進展しており、通信網のトラフィックは今度も増加の一途をたどると考えられる。また技術的背景からも、光伝送技術の長足の進歩により、伝送容量は近年、１０Ｇｂｐｓ→１００Ｇｂｐｓ→４００Ｇｂｐｓと飛躍的に増大している。
【０００６】
これらの背景を鑑みて、通信網を構成する伝送装置には、今後、より一層の大容量化が求められ、そのスケールの上で従来相当もしくはそれ以上の信頼性が求められる。しかし、現在の冗長切替のアーキテクチャは、容量増大に伴い切替処理時間も増大してしまうアーキテクチャであり、改善の余地があると本発明者は考えた。
【０００７】
本発明は本発明者の上記課題認識にもとづきなされたものであり、その主な目的は、伝送装置における冗長切替処理に要する時間の増大を抑制することである。
【課題を解決するための手段】
【０００８】
上記課題を解決するために、本発明のある態様の伝送装置は、第１の網の第１経路と接続された第１のインタフェースユニットと、第１の網の第２経路と接続された第２のインタフェースユニットと、第１の網とは異なる第２の網と接続された第３のインタフェースユニットと、あるインタフェースユニットから送出されたフレームを他のインタフェースユニットへ転送するスイッチ部と、を備える。第３のインタフェースユニットは、第１のインタフェースユニットで受信されたフレームに基づいて第１経路の正常性を判定し、第２のインタフェースユニットで受信されたフレームに基づいて第２経路の正常性を判定する監視部と、監視部による判定結果に基づいて、第１経路と第２経路のどちらが選択系であるかを示す選択系情報をスイッチ部へ通知する送信部と、を含む。スイッチ部は、第３のインタフェースユニットから通知された選択系情報に基づいて、第１または第２の網から受信されたフレームの転送態様を決定する。
【０００９】
本発明の別の態様は、インタフェースユニットである。このインタフェースユニットは、伝送装置を構成するインタフェースユニットであって、伝送装置は第１の網と第２の網の間でフレームを伝送するものであり、本インタフェースユニットは第２の網と接続されるものであり、第１の網の第１経路と接続された他のインタフェースユニットで受信されたフレームに基づいて第１経路の正常性を判定し、第１の網の第２経路と接続された他のインタフェースユニットで受信されたフレームに基づいて第２経路の正常性を判定する監視部と、監視部による判定結果に基づいて、第１経路と第２経路のどちらが選択系であるかを示す選択系情報をスイッチ部へ通知することにより、スイッチ部に、第１または第２の網から受信されたフレームの転送態様を選択系情報にしたがって決定させる送信部と、を備える。
【００１０】
なお、以上の構成要素の任意の組合せ、本発明の表現を、方法、システム、プログラム、プログラムを格納した記録媒体などの間で変換したものもまた、本発明の態様として有効である。
【発明の効果】
【００１１】
本発明によれば、伝送装置における冗長切替処理に要する時間の増大を抑制することができる。
【図面の簡単な説明】
【００１２】
【図１】通信網の全体像を示す図である。
【図２】１：１パス冗長切替方式を示す図である。
【図３】１＋１パス冗長切替方式を示す図である。
【図４】伝送装置のハードウェア構成を模式的に示す図である。
【図５】図２の伝送装置におけるパス冗長切替に関する機能構成を示す図である。
【図６】障害発生時の１：１パス冗長切替制御を示す図である。
【図７】図３の伝送装置におけるパス冗長切替に関する機能構成を示す図である。
【図８】障害発生時の１＋１パス冗長切替制御を示す図である。
【図９】実施の形態の伝送装置の機能構成を示すブロック図である。
【図１０】並走情報の構成を示す図である。
【図１１】方路テーブルの構成を示す図である。
【図１２】１：１パス冗長時の動作例を示す図である。
【図１３】選択系がＥａｓｔ経路の場合のフレームの並走情報と、装置内での転送態様を示す図である。
【図１４】選択系がＷｅｓｔ経路の場合のフレームの並走情報と、装置内での転送態様を示す図である。
【図１５】１＋１パス冗長時の動作例を示す図である。
【図１６】選択系がＥａｓｔ経路の場合のフレームの並走情報と、装置内での転送態様を示す図である。
【図１７】選択系がＷｅｓｔ経路の場合のフレームの並走情報と、装置内での転送態様を示す図である。
【発明を実施するための形態】
【００１３】
実施の形態の伝送装置について、その構成を説明する前に概要を説明する。
図１は、通信網の全体像を示す。実施の形態では、通信事業者等のパケット網において、特にメトロエリアにおける伝送に着目し、パケット伝送の信頼性および可用性を確保するための新たな冗長切替方式を提案する。具体的には、メトロリングを構成する伝送装置であり、新たな冗長切替方式を実装した伝送装置を提案する。この伝送装置は典型的にはレイヤ２スイッチであるが、レイヤ３以上のスイッチ装置であってもよい。
【００１４】
図１に示すように、メトロエリアの伝送網ではリングトポロジの網を構築することがある。このようなリング網では、伝送路故障発生時にユーザトラフィックを救済するため、図２および図３に示すようなパス冗長切替方式が用いられる。なお、ユーザトラフィックは、例えばアクセス網のユーザ間で送受されるデータであり、ユーザフレームとも言え、主信号のフレームとも言える。以下、フレームはパケットと同義で用いる。
【００１５】
図２は、１：１パス冗長切替方式を示す。同図は、伝送装置Ａ・Ｂ・Ｃ・Ｄで構成されるリングにおいて、あるユーザトラフィックを伝送装置Ａ〜Ｃ間に伝送するパスの冗長切替を示している。具体的には、伝送装置Ａ〜Ｃ間の経路として、（１）Ａ〜Ｂ〜Ｃと（２）Ａ〜Ｄ〜Ｃの２経路を設け、伝送装置Ａおよび伝送装置Ｃは、いずれか１経路に対してのみユーザトラフィックを送出する。図２では、（１）の経路のみを使用するパスを示しているが、不図示の別のパスは（２）の経路のみを使用することもある。
【００１６】
図２では、ＯＡＭトラフィックを一点鎖線で示している。各伝送装置は、パスの両端間で定常的にＣＣＭ（Continuity Check Message）フレームを互いに送受することにより、伝送経路の正常性を監視する。伝送経路の故障を検出した場合は、ＡＰＳ（Automatic Protection Switch）フレームを送受することにより、パスの両端間の装置で協調して送信経路の切替を実行する。図２の例では、ユーザトラフィックの伝送に使用中の（１）Ａ〜Ｂ〜Ｃの経路で異常を検出した場合、ユーザトラフィックの送出方向を（２）Ａ〜Ｄ〜Ｃの経路へ切り替える。
【００１７】
図３は、１＋１パス冗長切替方式を示す。この例では、伝送装置ＡおよびＣのパスの両端点は、それぞれ両方の経路にユーザトラフィックを送出する。そして、両経路からの受信トラフィックのうち一方の経路、例えば予め選択系として定められた１経路からの受信トラフィックを選択的に透過する。また、ＯＡＭによる経路監視の結果に基づいて、正常経路からの受信トラフィックを選択的に透過することで冗長切替を実現する。図３では、伝送装置Ａ〜Ｂ〜Ｃの経路を選択系としたパスを示しているが、不図示の別のパスは伝送装置Ａ〜Ｄ〜Ｃの経路を選択系とすることもある。
【００１８】
図４は、伝送装置のハードウェア構成を模式的に示す。実施の形態の伝送装置は、シャーシ型であり、シャーシ（「シェルフ」とも呼ばれる。）に対してプラグイン型のユニットを実装する形態で構成される。
【００１９】
伝送装置を構成するユニットは以下の３つを含む。
（１）装置内の監視制御を実行するユニット：
図４のＭＣＵ（Main Control Unit）、制御カードとも呼ばれる。
（２）トラフィックのスイッチングを実行するユニット：
図４のＳＷＦ（SWitch Fabric、スイッチファブリック）、スイッチカードとも呼ばれる。
（３）伝送路インタフェースを実行するユニット：
図４のＬＩＵ（Line Interface Unit、ラインインタフェースユニット）、ラインカードとも呼ばれる。
【００２０】
複数のＬＩＵのうち一部のＬＩＵは、メトロリングの伝送路と接続されるリング側インタフェースユニットである。他のＬＩＵは、メトロリング以外の網の伝送路と接続されるクライアント側インタフェースユニットである。メトロリング以外の網は、メトロリングを利用するクライアント装置が設置されたクライアント網であってもよく、例えば図１のアクセス網であってもよい。
【００２１】
シャーシ＋プラグインユニットの構成は、収容回線容量、例えば収容するパスの本数に応じて、ユニットを増減させることができ、経済性と拡張性を提供する。また、特定のユニットでの故障発生時に、故障発生ユニットのみを交換することにより、サービス停止を最小限に留める保守性を提供する。
【００２２】
従来、シャーシ型の伝送装置では、図２に示した１：１冗長切替を実現するために、図５に示すアーキテクチャを用いていた。図５は、図２の伝送装置におけるパス冗長切替に関する機能構成を示す。同図は、障害未発生時における伝送装置Ｃによるトラフィック伝送態様を模式的に示している。図５の左側の２つのＬＩＵがリング側ＬＩＵであり、右側のＬＵＩがクライアント側ＬＩＵである。図５では、上のリング側ＬＩＵが接続されたリング網の経路が選択系とされている。
【００２３】
フレームの転送方式としては、ＶＬＡＮやＭＰＬＳーＴＰ等、種々の方式があるが、いずれの場合もレイヤ構成にしたがうとパスレベルのＯＡＭ終端点はリング側ＬＩＵとなる。言い換えれば、ＭＥＰ（Maintenance End Point）はリング側ＬＩＵに設定される。その一方、送信方路の切替機能はクライアント側ＬＩＵに実装される。また、故障検出状態およびユーザ制御状態を勘案した切替評定機能はＭＣＵに実装される。
【００２４】
図６は、障害発生時の１：１パス冗長切替制御を示す。同図は、図５の機能構成における伝送路故障発生時のパス冗長切替制御について情報・制御の流れを示している。図５のように上のリング側ＬＩＵを選択系としてトラフィックが疎通している状態から、当該選択系の伝送路に故障が発生した場合の処理の流れは以下のようになる。
【００２５】
（１）選択系の伝送路で故障が発生。
（２）選択系のリング側ＬＩＵにＣＣＭフレームが到達しないため、監視対象パスのＬＯＣ（Loss of continuity）を検出し、ＭＣＵの切替評定部へ情報を通知する。
（３）ＭＣＵの切替評定部による評定の結果、選択系を下側ルートへ切り替えるため、クライアント側ＬＩＵに指示して、送出方路を切り替える。
（４）リング側ＬＩＵのＯＡＭ終端点に対してＡＰＳフレームによる切替要求の発行を指示し、パスの対向端点、例えば図２の伝送装置Ａでの送出方路を切り替えさせる。
【００２６】
また従来、シャーシ型の伝送装置では、図３に示した１＋１冗長切替を実現するために、図７に示すアーキテクチャを用いていた。図７は、図３の伝送装置におけるパス冗長切替に関する機能構成を示す。同図は、障害未発生時における伝送装置Ｃによるトラフィック伝送態様を模式的に示している。図５と同様に図７でも、上のリング側ＬＩＵが接続されたリング網の経路が選択系とされている。
【００２７】
図５の１：１冗長構成と同様にＯＡＭ終端点はリング側ＬＩＵとなる。また、リングの両経路から受信したトラフィックの選択は、非選択系ルートのリング側ＬＩＵ（図７では下のリング側ＬＩＵ）においてＳＷＦへの透過を止めてフレームを廃棄することにより実現している。また、各経路の故障検出状態およびユーザ制御状態を勘案した切替評定機能はＭＣＵに実装される。
【００２８】
図８は、障害発生時の１＋１パス冗長切替制御を示す。同図は、図７の機能構成における伝送路故障発生時のパス冗長切替制御について情報・制御の流れを示している。図７のように上のリング側ＬＩＵを選択系としてトラフィックが疎通している状態から、当該選択系経路に故障が発生した場合の処理の流れは以下のようになる。
【００２９】
（１）選択系の伝送路で故障が発生。
（２）選択系のリング側ＬＩＵにＣＣＭフレームが到達しないため、監視対象パスのＬＯＣを検出し、ＭＣＵの切替評定部へ情報を通知する。
（３）ＭＣＵの切替評定部による評定の結果、選択系を下側ルートへ切り替えるため、まず、現在選択系（上側）のリング側ＬＩＵの透過判断部に対して廃棄を指示する。
（４）上記（３）での廃棄処理完了後に、新たな選択系（下側）のリング側ＬＩＵの透過判断部に対して透過を指示する。
【００３０】
なお、両経路から受信したフレームを重複してクライアント側ＬＩＵに転送した場合、クライアント側ＬＩＵによるフレーム送信先の外部装置において誤動作を招くおそれがある。したがって、重複データの転送は確実に防止する必要があり、上記（３）（４）の順序は厳密に遵守する必要がある。
【００３１】
ここまでに述べたパス冗長切替の従来方式には以下の問題点がある。
（１）図６および図８に示した通り、切替の制御において複数のユニットとＭＣＵ間で情報の授受が必要であり、ユニット間通信によるオーバーヘッドが大きい。その結果、切替時間性能が低下してしまう。
（２）切替評定機能がＭＣＵに集中しているため、パス収容本数の増大に伴って切替対象となるパス本数が増大し、切替時間性能の劣化が大きくなる。
（３）ＭＣＵは、本来ユーザトラフィックの伝送には影響を与えない、言い換えれば、影響を与えるべきでないものである。しかし、切替評定機能がＭＣＵに集中しているため、ＭＣＵの故障や交換、機能エンハンスによるバージョンアップ時などにユーザトラフィックの冗長切替ができず、装置の保守性が損なわれる。
【００３２】
このように従来のパス冗長切替方式は、収容パス本数の増大に伴い、収容パス全体の切替を完了するまでに要する時間が増大してしまうという信頼性が著しく損なわれかねないアーキテクチャであった。そこで本実施の形態では、伝送容量の大容量化に対し、安直なハードウェア処理能力の増強で対応するのではなく、スケールに影響されない冗長切替性能を実現するための構造的な解を提案する。
【００３３】
具体的には、装置全体の監視制御部であるＭＣＵへの処理集中を回避するため、冗長切替処理をデータ処理系ユニット内、具体的にはＬＩＵおよびＳＷＦ内で完結するアーキテクチャを提案する。実施の形態の伝送装置では、クライアント側ＬＩＵが、リング網の冗長経路の正常性を一括して判定する。またクライアント側ＬＩＵが、装置内でフレームを転送するためにフレームに１対１で付与する並走情報に、冗長切替に必要な情報を格納する。ＳＷＦは、並走情報に格納された冗長切替情報に基づいてフレームの転送態様を変更する。これにより冗長切替処理をデータ処理系ユニット内で完結する。
【００３４】
また、ＭＣＵによる俯瞰的集中監視によらず、切替に関する必要情報をユニット間で通知するための技術であり、ハードウェア的に特別な通信経路を追加することなく実現する技術を提案する。実施の形態の伝送装置では、クライアント側ＬＩＵによる切替評定結果を、ユニット間で伝達する手段として既存のＯＡＭフレームを用いる。これにより、新たな通信線等を追加することなく、データ処理系ユニット間で切替評定結果を伝達することを実現する。
【００３５】
図９は、実施の形態の伝送装置の機能構成を示すブロック図である。伝送装置１００は、Ｅ−リング側ＬＩＵ１０と、Ｗ−リング側ＬＩＵ２０と、クライアント側ＬＩＵ３０と、ＳＷＦ５０を備える。なお伝送装置の全体像は、図４に関連して既に述べたとおりである。図９には不図示だが、伝送装置１００は、装置内の監視制御を実行するＭＣＵをさらに備える。
【００３６】
本明細書のブロック図において示される各ブロックは、ハードウェア的には、コンピュータのＣＰＵやメモリをはじめとする素子や機械装置、電子回路で実現でき、ソフトウェア的にはコンピュータプログラム等によって実現される。ここでは、それらの連携によって実現される機能ブロックを描いている。したがって、これらの機能ブロックはハードウェア、ソフトウェアの組合せによっていろいろなかたちで実現できることは、当業者には理解されるところである。
【００３７】
伝送装置１００は、図１のメトロリングで示したリング網を構成する複数の伝送装置の１つであり、外部装置間で構築された複数の論理回線である複数のパスを収容する。また伝送装置１００は、リング網を構成する他の伝送装置とユーザフレームおよびＯＡＭフレーム（以下ではＣＣＭフレーム）を送受する。また伝送装置１００は、２つの経路を介してリング網と冗長接続される。以下、一方の経路を便宜的にＥａｓｔ経路と呼び、他方の経路を便宜的にＷｅｓｔ経路と呼ぶこととする。例えば、Ｅａｓｔ経路はリング網における時計回りの経路であり、Ｗｅｓｔ経路はリング網における反時計回りの経路である。
【００３８】
Ｅ−リング側ＬＩＵ１０は、リング網のＥａｓｔ経路と接続されたＬＩＵである。Ｗ−リング側ＬＩＵ２０は、リング網のＷｅｓｔ経路と接続されたＬＩＵである。Ｅ−リング側ＬＩＵ１０は、リング網ＩＦ部１２と、装置内ＩＦ部１４と、並走情報付与部１６を含む。Ｗ−リング側ＬＩＵ２０は、リング網ＩＦ部２２と、装置内ＩＦ部２４と、並走情報付与部２６を含む。
【００３９】
リング網ＩＦ部１２は、リング網のＥａｓｔ経路とのインタフェース処理を実行する。具体的には、リング網のＥａｓｔ経路からユーザフレームおよびＣＣＭフレームを受信し、また、リング網のＥａｓｔ経路へユーザフレームおよびＣＣＭフレームを送出する。リング網へフレームを送出する際には、そのフレームに対して付加されていた並走情報を削除する。リング網ＩＦ部２２の機能もリング網ＩＦ部１２と同様である。
【００４０】
装置内ＩＦ部１４は、ＳＷＦ５０とのインタフェース処理を実行する。具体的には、ＳＷＦ５０からＥ−リング側ＬＩＵ１０へ転送されたユーザフレームおよびＣＣＭフレームを受信する。また、リング網ＩＦ部１２で受信されたユーザフレームおよびＣＣＭフレームをＳＷＦ５０へ送出する。装置内ＩＦ部２４の機能も装置内ＩＦ部１４と同様である。
【００４１】
並走情報付与部１６は、リング網ＩＦ部１２で受信されたユーザフレームおよびＣＣＭフレームに対して、伝送装置１００内でのフレーム伝送に必要な各種情報を示す並走情報を付加する。例えば、フレームのヘッダ部に並走情報を追加する。並走情報付与部２６の機能も並走情報付与部１６と同様である。
【００４２】
図１０は並走情報の構成を示す。並走情報は、装置内ヘッダとも呼ばれ、ＳＷＦ５０によるフレーム転送方路の決定や、透過・廃棄の決定に必要な情報を含む。値「識別子」は、
パスやＬＩＵを装置内で一意に識別可能な情報であればよく、文字や数値の組み合わせであってもよい。また並走情報は、どのユニットのどのポートからフレームを送出するか、フレームをどのキューに入れるか等を指定する情報を含んでもよい。
【００４３】
図９に戻り、クライアント側ＬＩＵ３０は、Ｅ−リング側ＬＩＵ１０およびＷ−リング側ＬＩＵ２０が接続されたリング網とは異なる網、実施の形態ではアクセス網と接続されたＬＩＵである。クライアント側ＬＩＵ３０は、外部ＩＦ部３２と、装置内ＩＦ部３４と、並走情報付与部３６と、Ｅ−ＯＡＭ終端部３８と、Ｅ−ＯＡＭ生成部４０と、Ｗ−ＯＡＭ終端部４２と、Ｗ−ＯＡＭ生成部４４と、切替評定部４６を含む。図９には不図示だが、伝送装置１００は複数のクライアント側ＬＩＵ３０を備えてよく、各クライアント側ＬＩＵ３０が同様の機能ブロックを備えてもよい。
【００４４】
外部ＩＦ部３２は、アクセス網とのインタフェース処理を実行する。具体的には、アクセス網の伝送路からユーザフレームを受信し、また、装置内ＩＦ部３４で受信されたユーザフレームをアクセス網へ送出する。アクセス網へフレームを送出する際には、そのフレームに対して付加されていた並走情報を削除する。
【００４５】
装置内ＩＦ部３４は、ＳＷＦ５０とのインタフェース処理を実行する。具体的には、ＳＷＦ５０からクライアント側ＬＩＵ３０へ送出されたユーザフレームおよびＣＣＭフレームを受信する。また、外部ＩＦ部３２が受信したユーザフレームと、Ｅ−ＯＡＭ生成部４０およびＷ−ＯＡＭ生成部４４が生成したＣＣＭフレームをＳＷＦ５０へ送出する。
【００４６】
並走情報付与部３６は、外部ＩＦ部３２が受信したユーザフレームと、Ｅ−ＯＡＭ生成部４０およびＷ−ＯＡＭ生成部４４が生成したＣＣＭフレームに対して図１０に示した並走情報を付加する。並走情報付与部３６は、切替評定部４６による切替評定結果に応じた内容の並走情報を生成し、生成した並走情報をユーザフレームおよびＣＣＭフレームに付加する。
【００４７】
Ｅ−ＯＡＭ終端部３８、Ｅ−ＯＡＭ生成部４０、Ｗ−ＯＡＭ終端部４２、Ｗ−ＯＡＭ生成部４４は、ＯＡＭフレームを使用して伝送路故障を検出するためのＯＡＭ処理部として機能する。言い換えれば、ＯＡＭフレームによる監視区間の端点であるＭＥＰとして機能する。
【００４８】
Ｅ−ＯＡＭ終端部３８は、伝送装置１００に収容された複数のパスのそれぞれに対応するＣＣＭフレームを受信して終端する。このＣＣＭフレームは、外部装置のＭＥＰから送出され、リング網のＥａｓｔ経路を伝送され、Ｅ−リング側ＬＩＵ１０により受信・転送されたＣＣＭフレームである。同様にＷ−ＯＡＭ終端部４２も、伝送装置１００に収容された各パスに対応するＣＣＭフレームを受信して終端する。このＣＣＭフレームは、外部装置のＭＥＰから送出され、リング網のＷｅｓｔ経路を伝送され、Ｗ−リング側ＬＩＵ２０により受信・転送されたＣＣＭフレームである。
【００４９】
Ｅ−ＯＡＭ生成部４０は、伝送装置１００に収容された複数のパスそれぞれに対応するＣＣＭフレームを定期的に生成し、装置内ＩＦ部３４を介してＳＷＦ５０へ送出する。このＣＣＭフレームは、ＳＷＦ５０からＥ−リング側ＬＩＵ１０へ転送され、リング網のＥａｓｔ経路へ送出され、外部装置のＭＥＰで終端される。同様にＷ−ＯＡＭ生成部４４も、伝送装置１００に収容された各パスに対応するＣＣＭフレームを定期的に生成し、装置内ＩＦ部３４を介してＳＷＦ５０へ送出する。このＣＣＭフレームは、ＳＷＦ５０からＷ−リング側ＬＩＵ２０へ転送され、リング網のＷｅｓｔ経路へ送出され、外部装置のＭＥＰで終端される。
【００５０】
切替評定部４６は、リング網のＥａｓｔ経路で伝送されたパスごとのＣＣＭフレームについて、Ｅ−ＯＡＭ終端部３８による受信状態に基づいて、リング網のＥａｓｔ経路における通信の正常性をパスごとに判定する。言い換えれば、リング網のＥａｓｔ経路が、正常なフレーム伝送がなされている状態か、故障が発生している状態かを判定する。例えば切替評定部４６は、あるパスに対応するＣＣＭフレームが受信されてから、当該パスに対応する次のＣＣＭフレームが所定時間以上未受信である場合に、Ｅａｓｔ経路を介した当該パスの接続性が異常と判定する。未受信時間の閾値は、開発者の知見や実験等により定められてよく、例えば２〜３秒であってもよい。
【００５１】
また切替評定部４６は、リング網のＷｅｓｔ経路で伝送されたパスごとのＣＣＭフレームについて、Ｗ−ＯＡＭ終端部４２による受信状態に基づいて、リング網のＷｅｓｔ経路における通信の正常性をパスごとに判定する。このように、切替評定部４６は、ＣＣＭフレームの受信状況に基づいて、パスごとに、冗長化された経路ごとに通信の正常性を判定する。
【００５２】
切替評定部４６は、パスごとに現在選択系の経路を示す情報を保持する。そして、あるパスの選択系経路の異常を検出すると、それまでの予備系の経路を新たな選択系とする旨の情報をパスの識別子と対応づけて並走情報付与部３６へ通知する。並走情報付与部３６は、新たな選択系の経路を示す情報を並走情報に設定し、異常検出パスのユーザフレームおよびＣＣＭフレームに当該並走情報を付加する。
【００５３】
ＳＷＦ５０は、あるＬＩＵが送出したフレームを他のＬＩＵへ転送することにより、ＬＩＵ間でのフレームの授受を仲介する。ＳＷＦ５０は、装置内ＩＦ部５２と、並走情報抽出部５４と、方路選択部５６と、方路切替部６０を含む。方路選択部５６は、方路テーブル５８を含む。
【００５４】
装置内ＩＦ部５２は、Ｅ−リング側ＬＩＵ１０、Ｗ−リング側ＬＩＵ２０、クライアント側ＬＩＵ３０のそれぞれから送出されたユーザフレームおよびＣＣＭフレームを受信する。また装置内ＩＦ部５２は、各ＬＩＵから送出されたフレームを、方路選択部５６により決定された転送先のＬＩＵへ送出する。並走情報抽出部５４は、装置内ＩＦ部５２で受信されたユーザフレームおよびＣＣＭフレームに付加された並走情報を読み込む。
【００５５】
方路テーブル５８は、ユーザフレームおよびＣＣＭフレームの方路をパスごとに決定するための基準を示す情報であり、言い換えれば、フレームの転送態様を決定するための規則を保持する。図１１は、方路テーブル５８の構成を示す。方路テーブル５８には、フレームに付加された並走情報の設定値に応じた、そのフレームの転送の有無（廃棄の有無）や転送先を示す情報が格納される。方路テーブルのそれぞれの項目値はパスごとに設定される。例えば、あるパスの冗長種別は１：１に設定される一方、別のパスの冗長種別は１＋１に設定されることもある。
【００５６】
図９に戻り、方路選択部５６は、ユーザフレームおよびＣＣＭフレームに付加された並走情報であり、並走情報抽出部５４が読み込んだ並走情報と、方路テーブル５８の設定値にしたがって、各フレームの転送態様を決定する。例えば、フレームの転送先となるＬＩＵを決定し、もしくは、フレームを廃棄することを決定する。
【００５７】
方路切替部６０は、ユーザフレームおよびＣＣＭフレームに付加された並走情報であり、並走情報抽出部５４が読み込んだ並走情報にしたがって、方路テーブルの値を更新する。後述のとおり実施の形態では、リング網へ送出すべきＣＣＭフレームに付加された方路情報にしたがって、フレームの透過・廃棄の規則を切り替える。
【００５８】
なお不図示のＭＣＵは、ＵＩ提供部と静的情報設定部を備える。ＵＩ提供部は、装置内フレーム伝送に関する静的な情報をオペレータに設定させるための設定画面を所定の保守端末に表示させる。静的情報設定部は、設定画面に入力された各種の静的情報を所定の記憶領域に記録し、各機能ブロックに参照させる。静的情報は、方路テーブル５８の値（各パスの初期値）、切替評定部４６におけるパスごとの選択系経路（パスごとの初期値）や評定規則を含む。また、各並走情報付与部において付与する並走情報の値（パスごとの初期値）を含む。
【００５９】
以上の構成による伝送装置１００の動作を以下説明する。伝送装置１００は、パス単位で１：１パス冗長または１＋１パス冗長によるパス冗長化を実現する。すなわち、伝送装置１００は、収容するパスごとに、以下の１：１パス冗長または１＋１パス冗長の動作を実行する。なお、伝送装置１００に収容中のあるパスには１：１冗長切替方式を適用しつつ、別のパスには１＋１冗長切替方式を適用することもできる。
【００６０】
以下の例では、Ｅ−リング側ＬＩＵ１０の識別子を「ａ」、Ｗ−リング側ＬＩＵ２０の識別子を「ｂ」、クライアント側ＬＩＵ３０の識別子を「ｃ」とする。また、リング網からクライアント側ＬＩＵ３０への方向を「下り」と表現し、クライアント側ＬＩＵ３０からリング網への方向を「上り」と表現する。
【００６１】
まず、１：１パス冗長における動作を説明する。
図１２は、１：１パス冗長時の動作例を示す。図１３は、選択系がＥａｓｔ経路の場合のフレームの並走情報と、装置内での転送態様を示す。図１４は、選択系がＷｅｓｔ経路の場合のフレームの並走情報と、装置内での転送態様を示す。図１２、図１３、図１４の（１）〜（７）は、相互に対応するフレームを示す。以下の説明では、識別子Ｎのパスについて、初期の選択系としてＥａｓｔ経路が選択されていることとする。
【００６２】
図１３と図１４において、並走情報および方路テーブルにおける網掛けの項目には、パスの設定時に、オペレータにより固定的（静的）に設定された値が設定される。網掛けのない項目の値は経路状態により動的に変更される。また、「並走情報−Ｅ」は、Ｅ−リング側ＬＩＵ１０の並走情報付与部１６が付加する並走情報を示し、「並走情報−Ｗ」は、Ｗ−リング側ＬＩＵ２０の並走情報付与部２６が付加する並走情報を示す。また、「並走情報ーＣ」は、クライアント側ＬＩＵ３０の並走情報付与部３６が付加する並走情報を示す。後述の図１６と図１７も同様である。
【００６３】
図１２および図１３で示すように、Ｅ−リング側ＬＩＵ１０は、（１）Ｅａｓｔ側下りユーザフレームに並走情報を付加し、ＳＷＦ５０へ送出する。ＳＷＦ５０は、並走情報が示す伝送方向が下り、パケット種別がユーザ、方路がＥａｓｔ、方路テーブル５８で規定されたＥａｓｔ下り処理が透過であるため、クライアントＬＩＵ識別が示すクライアント側ＬＩＵ３０へ当該ユーザフレームを転送する。クライアント側ＬＩＵ３０は、当該ユーザフレームから並走情報を削除し、アクセス網へ送出する。
【００６４】
（３）Ｗｅｓｔ側下りユーザフレームに対するＷ−リング側ＬＩＵ２０、ＳＷＦ５０、クライアント側ＬＩＵ３０の処理も同様である。ただし、１：１パス冗長で、この例におけるパスの選択系がＥａｓｔであるため、実際にはリング網のＷｅｓｔ経路から下りのユーザフレームは受け付けられない。外部装置は、このパスのユーザフレームをＥａｓｔ経路へ送出するからである。
【００６５】
Ｅ−リング側ＬＩＵ１０は、（２）Ｅａｓｔ側下りＣＣＭフレームに並走情報を付加し、ＳＷＦ５０へ送出する。ＳＷＦ５０は、並走情報が示す伝送方向が下り、パケット種別が下りＯＡＭであるため、クライアントＬＩＵ識別が示すクライアント側ＬＩＵ３０へ当該ＣＣＭフレームを転送する。クライアント側ＬＩＵ３０のＥ−ＯＡＭ終端部３８は、当該ＣＣＭフレームを終端し、受信した旨を切替評定部４６へ通知する。切替評定部４６は、先の（２）Ｅａｓｔ側下りＣＣＭフレームの受信から所定時間以内に、次の（２）Ｅａｓｔ側下りＣＣＭフレームが受信された場合、リング網のＥＡＳＴ経路の通信状態を正常と判定する。（４）Ｗｅｓｔ側下りＣＣＭフレームに対するＷ−リング側ＬＩＵ２０、ＳＷＦ５０、クライアント側ＬＩＵ３０の処理も同様である。
【００６６】
クライアント側ＬＩＵ３０の並走情報付与部３６は、（５）上りユーザフレームに並走情報を付加する。パスの選択系経路がＥａｓｔであるため、並走情報の方路フィールドにはＥａｓｔを設定する。クライアント側ＬＩＵ３０の装置内ＩＦ部３４は、並走情報が付加されたユーザフレームをＳＷＦ５０へ送出する。ＳＷＦ５０は、並走情報が示す伝送方向が上り、パケット種別がユーザ、方路がＥａｓｔであり、方路テーブル５８の冗長種別が１：１であるため、方路テーブル５８のＥａｓｔＬＩＵ識別が示すＥ−リング側ＬＩＵ１０へ当該ユーザフレームを転送する。Ｅ−リング側ＬＩＵ１０は、当該ユーザフレームから並走情報を削除し、リング網のＥａｓｔ経路へ送出する。
【００６７】
クライアント側ＬＩＵ３０のＥ−ＯＡＭ生成部４０は、定期的に、例えば１秒等の所定間隔で（６）Ｅａｓｔ側上りＣＣＭフレームを生成する。クライアント側ＬＩＵ３０の並走情報付与部３６は、生成されたＣＣＭフレームに並走情報を付加する。パスの選択系経路がＥａｓｔであるため、並走情報の方路フィールドにはＥａｓｔを設定する。クライアント側ＬＩＵ３０の装置内ＩＦ部３４は、並走情報が付加されたＣＣＭフレームをＳＷＦ５０へ送出する。
【００６８】
ＳＷＦ５０は、並走情報が示す伝送方向が上り、フレーム種別が上りＥａｓｔ側ＯＡＭであるため、方路テーブル５８のＥａｓｔＬＩＵ識別が示すＥ−リング側ＬＩＵ１０へ当該ＣＣＭフレームを転送する。Ｅ−リング側ＬＩＵ１０は、当該ＣＣＭフレームから並走情報を削除し、リング網のＥａｓｔ経路へ送出する。（７）Ｗｅｓｔ側上りＣＣＭフレームに対するクライアント側ＬＩＵ３０、ＳＷＦ５０、Ｗ−リング側ＬＩＵ２０の処理も同様である。
【００６９】
ここで、クライアント側ＬＩＵ３０の切替評定部４６が、（２）Ｅａｓｔ側下りＣＣＭフレームの受信状態について、先のＣＣＭフレームの受信から所定時間以上、次のＣＣＭフレームを未受信であることを検出したとする。このとき切替評定部４６は、リング網のＥａｓｔ経路の通信状態を異常と判定して、選択系経路をリング網のＷｅｓｔ経路へ切り替えることを決定し、その旨の情報を並走情報付与部３６へ通知する。
【００７０】
クライアント側ＬＩＵ３０の並走情報付与部３６は、図１４で示すように（５）（６）（７）の各フレームに対して、方路をＷｅｓｔに変更した並走情報を付加する。ＳＷＦ５０は、（５）上りユーザフレームの並走情報が示す伝送方向が上り、パケット種別がユーザ、方路がＷｅｓｔであるため、方路テーブル５８のＷｅｓｔＬＩＵ識別が示すＷ−リング側ＬＩＵ２０へ当該ユーザフレームを転送する。
【００７１】
なお、切替評定部４６は、選択系切替を示す情報をＥ−ＯＡＭ生成部４０とＷ−ＯＡＭ生成部４４へも通知する。Ｅ−ＯＡＭ生成部４０およびＷ−ＯＡＭ生成部４４は、選択系経路の切替を示すＡＰＳフレームであり、言い換えれば、伝送装置１００宛のユーザフレームを伝送すべき経路の切替を指示するＡＰＳフレームを対向のＭＥＰへ送信する。
【００７２】
このように１：１パス冗長の場合、リング→クライアント方向、すなわち下り方向では、Ｅａｓｔ経路とＷｅｓｔ経路双方からの受信フレームを透過するよう方路テーブル５８が設定される。その一方、クライアント→リング方向、すなわち上り方向では、Ｅａｓｔ経路とＷｅｓｔ経路のうち選択系経路にのみユーザフレームを送出する。そして、選択系経路切替時にユーザフレームの送出経路を変更する。具体的には、上り方向はユーザフレームの並走情報に、クライアント側ＬＩＵ３０による切替評定の結果である選択系経路を示す選択系情報を格納する。
【００７３】
ＳＷＦ５０の方路選択部５６は、この例のパスの初期状態において、並走情報内の方路と、方路テーブル５８のＥａｓｔＬＩＵ識別を参照してＥ−リング側ＬＩＵ１０宛にユーザフレームを転送する。ＯＡＭによる障害検出等により選択系の経路が切り替わる場合、クライアント側ＬＩＵ３０における並走情報の方路情報更新と、Ｅ−ＯＡＭ生成部４０、Ｗ−ＯＡＭ生成部４４を介したＡＰＳフレームの送信により冗長切替を実現する。
【００７４】
次に、１＋１パス冗長における動作を説明する。
図１５は、１＋１パス冗長時の動作例を示す。図１６は、選択系がＥａｓｔ経路の場合のフレームの並走情報と、装置内での転送態様を示す。図１７は、選択系がＷｅｓｔ経路の場合のフレームの並走情報と、装置内での転送態様を示す。図１５、図１６、図１７の（１）〜（７）は、相互に対応するフレームを示している。以下の説明では、識別子Ｎのパスについて、初期の選択系としてＥａｓｔ経路が選択されていることとする。
【００７５】
図１５と図１６で示すように、Ｅ−リング側ＬＩＵ１０は、（１）Ｅａｓｔ側下りユーザフレームに並走情報を付加し、ＳＷＦ５０へ送出する。ＳＷＦ５０は、並走情報が示す伝送方向が下り、パケット種別がユーザ、方路がＥａｓｔ、方路テーブル５８のＥａｓｔ下り処理が透過であるため、クライアントＬＩＵ識別が示すクライアント側ＬＩＵ３０へ当該ユーザフレームを転送する。クライアント側ＬＩＵ３０は、当該ユーザフレームから並走情報を削除し、アクセス網へ送出する。
【００７６】
Ｗ−リング側ＬＩＵ２０は、（３）Ｗｅｓｔ側下りユーザフレームに並走情報を付加し、ＳＷＦ５０へ送出する。ＳＷＦ５０は、並走情報が示す伝送方向が下り、パケット種別がユーザ、方路がＷｅｓｔ、方路テーブル５８のＷｅｓｔ下り処理が廃棄であるため、当該ユーザフレームをクライアント側ＬＩＵ３０へ転送することなく廃棄する。
【００７７】
クライアント側ＬＩＵ３０の並走情報付与部３６は、（５）上りユーザフレームに並走情報を付加する。パスの選択系経路がＥａｓｔであるため、並走情報の方路フィールドにはＥａｓｔが設定される。クライアント側ＬＩＵ３０の装置内ＩＦ部３４は、並走情報が付加されたユーザフレームをＳＷＦ５０へ送出する。ＳＷＦ５０は、並走情報が示す伝送方向が上り、パケット種別がユーザであり、方路テーブル５８の冗長種別が１＋１であるため、Ｅ−リング側ＬＩＵ１０とＷ−リング側ＬＩＵ２０の両方へ当該ユーザフレームを転送する。Ｅ−リング側ＬＩＵ１０とＷ−リング側ＬＩＵ２０は、当該ユーザフレームから並走情報を削除し、リング網のＥａｓｔ経路とＷｅｓｔ経路の両方へ送出する。
【００７８】
（２）Ｅａｓｔ側下りＣＣＭフレーム、（４）Ｗｅｓｔ側下りＣＣＭフレーム、（６）Ｅａｓｔ側上りＣＣＭフレーム、（７）Ｗｅｓｔ側上りＣＣＭフレームに関する処理、および切替評定処理は、１＋１パス冗長の場合と同じである。
【００７９】
ここで、クライアント側ＬＩＵ３０の切替評定部４６が、（２）Ｅａｓｔ側下りＣＣＭフレームの受信状態について、先のＣＣＭフレームの受信から所定時間以上、次のＣＣＭフレームを未受信であることを検出したとする。このとき切替評定部４６は、リング網のＥａｓｔ経路の通信状態を異常と判定して、選択系経路をリング網のＷｅｓｔ経路へ切り替えることを決定し、その旨の情報を並走情報付与部３６へ通知する。
【００８０】
クライアント側ＬＩＵ３０の並走情報付与部３６は、図１７で示すように（５）（６）（７）の各フレームに対して、方路をＷｅｓｔに変更した並走情報を付加する。ＳＷＦ５０の方路切替部６０は、（６）Ｅａｓｔ側上りＣＣＭフレーム、（７）Ｗｅｓｔ側上りＣＣＭフレームの少なくとも一方に付加された並走情報を参照し、並走情報が示す選択系方路がＷｅｓｔであることを検出する。すなわち、並走情報が示す選択系方路と、方路テーブル５８のＥａｓｔ下り処理およびＷｅｓｔ下り処理との不整合を検出する。方路切替部６０は、ＣＣＭフレームが示す選択系経路にしたがって、方路テーブル５８のＥａｓｔ下り処理を廃棄に変更し、Ｗｅｓｔ下り処理を透過に変更する。
【００８１】
方路テーブル５８の変更後、（５）上りユーザフレームは変更前と同様にリング網の両経路へ送出されるが、（１）Ｅａｓｔ側下りユーザフレームと（３）Ｗｅｓｔ側下りユーザフレームの装置内での転送態様はそれまでと逆になる。すなわち、方路テーブル５８のＥａｓｔ下り処理が廃棄に変更されたため、ＳＷＦ５０は、（１）Ｅａｓｔ側下りユーザフレームを廃棄する。また、方路テーブル５８のＷｅｓｔ下り処理が透過に変更されたため、（３）Ｗｅｓｔ側下りユーザフレームをクライアント側ＬＩＵ３０へ転送する。
【００８２】
このように１＋１パス冗長の場合、クライアント→リング方向、すなわち上り方向では両方路に送出する。したがって、ＳＷＦ５０の方路選択部５６は、並走情報の伝送方向が上りのフレームに対しては、同一フレームをＥ−リング側ＬＩＵ１０とＷ−リング側ＬＩＵ２０の両方へ転送する。
【００８３】
その一方、リング→クライアント方向、すなわち下り方向では、Ｅ−リング側ＬＩＵ１０の切替評定部４６により決定される選択系の情報をＣＣＭフレームによりＳＷＦ５０へ通知する。ＳＷＦ５０は、ＣＣＭフレームから選択系情報を抽出して、方路テーブル５８が定める下りフレームに対する転送規則を以下のように変更する。
Ｅａｓｔ選択時：
Ｅａｓｔ下り処理＝透過    Ｗｅｓｔ下り処理＝廃棄
Ｗｅｓｔ選択時：
Ｅａｓｔ下り処理＝廃棄    Ｗｅｓｔ下り処理＝透過
【００８４】
なお、１＋１パス冗長の場合も、１：１パス冗長の場合と同様に、切替評定部４６は、選択系切替を示す情報をＥ−ＯＡＭ生成部４０とＷ−ＯＡＭ生成部４４にも通知する。Ｅ−ＯＡＭ生成部４０およびＷ−ＯＡＭ生成部４４は、選択系経路の切替を示すＡＰＳフレームであり、言い換えれば、伝送装置１００から送出されたユーザフレームを受信すべき経路の切替を指示するＡＰＳフレームを対向ＭＥＰへ送出する。
【００８５】
実施の形態の伝送装置１００によると、切替評定処理はクライアントＬＩＵ側で完結し、切替のプロトコルとして必要な保護時間処理等はすべてクライアントＬＩＵ上に実装することができる。これにより、ＭＣＵ等、装置全般の監視制御部の介在を不要とする。すなわち、パス冗長切替におけるＭＣＵによる俯瞰的制御を排除し、ユニット間の制御用通信によるオーバーヘッドを排除することで、切替処理時間の短縮を実現する。
【００８６】
また、ＭＣＵによる集中制御の場合、各パスの切替処理が逐次処理となるため、選択系経路を切り替えるべきパス本数が多くなるほど、すべてのパスの切替処理を完了するために要する時間も長くなる。実施の形態の方式では、データ処理ユニット内でパケットバイパケットでパスごとの切替処理を実行するため、収容パス本数が増大しても切替処理性能の劣化を抑制できる。言い換えれば、各パスの切替処理は複数のＬＩＵに分散されるため、容量増大に伴って収容パス本数が増加しても切替時間の増大を抑制できる。例えば、伝送装置における収容パス本数が膨大であっても、各パスを収容する複数のＬＩＵが並行して切替評定を実行でき、ＭＣＵが収容パスそれぞれの切替処理を順次実行する場合と比べて、切替処理性能の劣化を抑制することができる。
【００８７】
また、パス冗長切替処理というデータ転送系の処理からＭＣＵを解放することで、伝送装置のプラグイン単位の処理の独立性を高め、保守性を向上できる。また、ＭＣＵ交換時にもパス冗長切替を実行でき、主信号伝送の信頼性も向上できる。
【００８８】
また、パス冗長切替を実現するに際して必要となるデータ転送系ユニット間の情報交換を、既存の保守で用いるＯＡＭフレームを使用して実現する。これにより、ハードウェア的に新たな通信線等の追加を不要とし、実施の形態のパス冗長切替を実現するためのコストの増加を抑制できる。
【００８９】
以上、本発明を実施の形態をもとに説明した。これらの実施の形態は例示であり、それらの各構成要素や各処理プロセスの組合せによりいろいろな変形例が可能なこと、またそうした変形例も本発明の範囲にあることは当業者に理解されるところである。
【００９０】
例えば、上記実施の形態では、１：１パス冗長切替および１＋１パス冗長切替を説明したが、原理的に、伝送装置に求められる他の種類の冗長切替にも適用可能である。例えば、ＳＤＨのセクションの冗長切替にも適用でき、ＳＤＨ網の伝送装置における冗長切替の性能劣化を抑制できる。
【００９１】
請求項に記載の各構成要件が果たすべき機能は、実施の形態および変形例において示された各構成要素の単体もしくはそれらの連携によって実現されることも当業者には理解されるところである。例えば、請求項に記載の第３のインタフェースユニットの監視部は、実施の形態で示されたクライアント側ＬＩＵ３０のＥ−ＯＡＭ終端部３８、Ｗ−ＯＡＭ終端部４２、切替評定部４６等の連携により実現されてもよい。また、請求項に記載の第３のインタフェースユニットの送信部は、実施の形態で示された装置内ＩＦ部３４、並走情報付与部３６、Ｅ−ＯＡＭ生成部４０、Ｗ−ＯＡＭ終端部４２等の連携により実現されてもよい。
【符号の説明】
【００９２】
１０  Ｅ−リング側ＬＩＵ、  ２０  Ｗ−リング側ＬＩＵ、  ３０  クライアント側ＬＩＵ、  ３６  並走情報付与部、  ４６  切替評定部、  ５０  ＳＷＦ、  ５４  並走情報抽出部、  ５６  方路選択部、  ５８  方路テーブル、  ６０  方路切替部、  １００  伝送装置。
【図１】
2015126506.tif 000003
【図２】
2015126506.tif 000004
【図３】
2015126506.tif 000005
【図４】
2015126506.tif 000006
【図５】
2015126506.tif 000007
【図６】
2015126506.tif 000008
【図７】
2015126506.tif 000009
【図８】
2015126506.tif 000010
【図９】
2015126506.tif 000011
【図１０】
2015126506.tif 000012
【図１１】
2015126506.tif 000013
【図１２】
2015126506.tif 000014
【図１３】
2015126506.tif 000015
【図１４】
2015126506.tif 000016
【図１５】
2015126506.tif 000017
【図１６】
2015126506.tif 000018
【図１７】
2015126506.tif 000019